(57)【要約】【課題】長時間静止画像を表示することによって起こる残像問題を改善することのできるディスプレイ装置及びその製造方法を提供する。【解決手段】行列形態の複数の画素を含む表示パネルと、連続する少なくとも二つのフレームに対応する画像信号が同一であるか否かを比較して、同じ画像信号である比率が予め設定された臨界範囲を超える場合、カウント数を増加させる画像信号比較部と、前記カウント数が予め設定された指令値に到達する場合、少なくとも一つのフレームの間、前記表示パネルの少なくとも一部に非画像信号を表示するパネル駆動部とを有する。【選択図】      図２
2008216953.tif 000002
【特許請求の範囲】
【請求項１】
行列形態の複数の画素を含む表示パネルと、
連続する少なくとも二つのフレームに対応する画像信号が同一であるか否かを比較して、同じ画像信号である比率が予め設定された臨界範囲を超える場合、カウント数を増加させる画像信号比較部と、
前記カウント数が予め設定された指令値に到達する場合、少なくとも一つのフレームの間、前記表示パネルの少なくとも一部に非画像信号を表示するパネル駆動部とを有することを特徴とするディスプレイ装置。
【請求項２】
前記指令値は、第１の指令値及び前記第１の指令値より大きい第２の指令値を含み、
前記パネル駆動部は、前記カウント数が前記第１の指令値に到達する場合、奇数番目の画素列または偶数番目の画素列のうちのいずれか一方に非画像信号を表示し、前記カウント数が前記第２の指令値に到達する場合、残った画素列に非画像信号を表示することを特徴とする請求項１に記載のディスプレイ装置。
【請求項３】
前記表示パネルは長方形の液晶パネルを含み、
前記液晶パネルの背面に備えられて、前記液晶パネルに光を提供する複数のランプをさらに含み、
前記ランプは、前記画素列に対して実質的に直交する方向に延長し配置されることを特徴とする請求項２に記載のディスプレイ装置。
【請求項４】
前記指令値は、第１の指令値及び前記第１の指令値より大きい第２の指令値を含み、
前記パネル駆動部は、前記カウント数が前記第１の指令値に到達する場合、奇数番目の画素行または偶数番目の画素行のうちのいずれか一方に非画像信号を表示し、前記カウント数が前記第２の指令値に到達する場合、残った画素行に非画像信号を表示することを特徴とする請求項１に記載のディスプレイ装置。
【請求項５】
前記表示パネルは長方形の液晶パネルを含み、
前記液晶パネルの背面に備えられて、前記液晶パネルに光を提供する複数のランプをさらに含み、
前記ランプは、前記画素行に対して実質的に直交する方向に延長し配置されることを特徴とする請求項４に記載のディスプレイ装置。
【請求項６】
前記指令値は、前記第２の指令値より大きい第３の指令値をさらに含み、
前記画像信号比較部は、前記カウント数が前記第３の指令値に到達する場合、前記カウント数をリセットさせることを特徴とする請求項２又は４に記載のディスプレイ装置。
【請求項７】
前記画像信号比較部は、前記第２の指令値に従って前記表示パネルに前記非画像信号が表示された後、前記カウント数をリセットさせることを特徴とする請求項２又は４に記載のディスプレイ装置。
【請求項８】
前記画素に印加されるデータ信号の極性はフレームごとに相異なるように変更し、
前記パネル駆動部は、前記カウント数が前記指令値に到達する場合、前記非画像信号を連続する二つのフレームの間、前記表示パネルに表示することを特徴とする請求項１に記載のディスプレイ装置。
【請求項９】
連続するフレームの画像信号を貯えるメモリをさらに有することを特徴とする請求項１に記載のディスプレイ装置。
【請求項１０】
前記メモリは、三つの連続するフレームの画像信号を貯えることを特徴とする請求項９に記載のディスプレイ装置。
【請求項１１】
前記非画像信号は、ブラック信号又はグレー信号であることを特徴とする請求項１に記載のディスプレイ装置。
【請求項１２】
前記表示パネルは液晶層を含み、前記表示パネルはノーマリーブラックモードであることを特徴とし、
前記パネル駆動部は、前記カウント数が前記指令値に到達する場合、少なくとも一つのフレームの間、前記表示パネルの少なくとも一部に画像信号を表示しないことを特徴とする請求項１に記載のディスプレイ装置。
【請求項１３】
行列形態の複数の画素を含む表示パネルを有するディスプレイ装置の制御方法において、
連続する少なくとも二つのフレームに対応する画像信号が同一であるか否かを比較するステップと、
その比較結果において、同じ画像信号である比率が予め設定された臨界範囲を超える場合、カウント数を増加させるステップと、
前記カウント数が予め設定された指令値に到達する場合、少なくとも一つのフレームの間、前記表示パネルの少なくとも一部に非画像信号を表示するステップとを有することを特徴とするディスプレイ装置の制御方法。
【請求項１４】
前記指令値は、第１の指令値及び前記第１の指令値より大きい第２の指令値を含み、
前記非画像信号を表示するステップは、前記カウント数が前記第１の指令値に到達する場合、奇数番目の画素列または偶数番目の画素列のうちのいずれか一方に非画像信号を表示するステップと、
前記カウント数が前記第２の指令値に到達する場合、残った画素列に非画像信号を表示するステップとを含むことを特徴とする請求項１３に記載のディスプレイ装置の制御方法。
【請求項１５】
前記指令値は、第１の指令値及び前記第１の指令値より大きい第２の指令値を含み、
前記非画像信号を表示するステップは、前記カウント数が前記第１の指令値に到達する場合、奇数番目の画素行または偶数番目の画素行のうちのいずれか一方に非画像信号を表示するステップと、
前記カウント数が前記第２の指令値に到達する場合、残った画素行に非画像信号を表示するステップとを含むことを特徴とする請求項１３に記載のディスプレイ装置の制御方法。
【請求項１６】
前記指令値は、前記第２の指令値より大きい第３の指令値をさらに含み、
前記カウント数が前記第３の指令値に到達する場合、前記カウント数をリセットさせるステップをさらに有することを特徴とする請求項１４又は１５に記載のディスプレイ装置の制御方法。
【請求項１７】
前記第２の指令値に従って前記表示パネルに前記非画像信号が表示された後、前記カウント数をリセットさせるステップをさらに有することを特徴とする請求項１４又は１５に記載のディスプレイ装置の制御方法。
【請求項１８】
前記非画像信号を表示するステップにおいて、前記表示パネルの少なくとも一部分にブラックまたはグレーを表示することを特徴とする請求項１３に記載のディスプレイ装置の制御方法。
【請求項１９】
前記表示パネルは液晶層を含み、前記表示パネルはノーマリーブラックモードであることを特徴とし、
前記非画像信号を表示するステップにおいて、少なくとも一つのフレームの間、前記表示パネルの少なくとも一部に画像信号を表示しないことを特徴とする請求項１３に記載のディスプレイ装置の制御方法。
【発明の詳細な説明】
【技術分野】
【０００１】
本発明はディスプレイ装置及びその制御方法に関し、より詳しくは、長時間静止画像表示による残像問題を改善することのできる表示ディスプレイ装置及びその制御方法に関する。
【背景技術】
【０００２】
液晶表示装置（ＬＣＤ：Ｌｉｑｕｉｄ  Ｃｒｙｓｔａｌ  Ｄｉｓｐｌａｙ）やＯＬＥＤ（ｏｒｇａｎｉｃ  ｌｉｇｈｔ  ｅｍｉｔｔｉｎｇ  ｄｉｏｄｅ）表示装置などにおいて、各画素を独立的に駆動するための回路基板として、薄膜トランジスタ基板（ＴＦＴ：Ｔｈｉｎ  Ｆｉｌｍ  Ｔｒａｎｓｉｓｔｏｒ）を用いている。
【０００３】
薄膜トランジスタ基板は、走査信号を伝えるゲート線と、データ信号を伝えるデータ線とを有する。また、この基板は、ゲート線及びデータ線に接続されている薄膜トランジスタ、薄膜トランジスタに接続されている画素電極などを含む。さらに、このようなディスプレイ装置は、薄膜トランジスタをオン／オフさせるゲート駆動部と、画像に対応する階調電圧を印加するデータ駆動部とを含む。かかる駆動部は、タイミング制御部によって各種の制御信号が印加される。
【０００４】
屋外または屋内に設けられて広報向け（ｐｕｂｌｉｃ  ｉｎｆｏｒｍａｔｉｏｎ）として用いられるディスプレイ装置には、長い時間同じ画像信号が表示される場合が多い。このように長い時間同じ静止画像が表示されると、表示パネルに残像が発生し、その残像によって画質が低下するという問題点が生ずる。
【発明の開示】
【発明が解決しようとする課題】
【０００５】
そこで、本発明は上記従来のディスプレイ装置における問題点に鑑みてなされたものであって、本発明の目的は、長時間静止画像を表示することによって起こる残像問題を改善することのできるディスプレイ装置及びその製造方法を提供することにある。
【課題を解決するための手段】
【０００６】
上記目的を達成するためになされた本発明によるディスプレイ装置は、行列形態の複数の画素を含む表示パネルと、連続する少なくとも二つのフレームに対応する画像信号が同一であるか否かを比較して、同じ画像信号である比率が予め設定された臨界範囲を超える場合、カウント数を増加させる画像信号比較部と、前記カウント数が予め設定された指令値に到達する場合、少なくとも一つのフレームの間、前記表示パネルの少なくとも一部に非画像信号を表示するパネル駆動部とを有することを特徴とする。
【０００７】
ここで、前記指令値は、第１の指令値及び前記第１の指令値より大きい第２の指令値を含み、前記パネル駆動部は、前記カウント数が前記第１の指令値に到達する場合、奇数番目の画素列または偶数番目の画素列のうちのいずれか一方に非画像信号を表示し、前記カウント数が前記第２の指令値に到達する場合、残った画素列に非画像信号を表示することが好ましい。
前記表示パネルは長方形の液晶パネルを含み、前記液晶パネルの背面に備えられて、前記液晶パネルに光を提供する複数のランプをさらに含み、前記ランプは、前記画素列に対して実質的に直交する方向に延長し配置されることが好ましい。
また、前記指令値は、第１の指令値及び前記第１の指令値より大きい第２の指令値を含み、前記パネル駆動部は、前記カウント数が前記第１の指令値に到達する場合、奇数番目の画素行または偶数番目の画素行のうちのいずれか一方に非画像信号を表示し、前記カウント数が前記第２の指令値に到達する場合、残った画素行に非画像信号を表示することが好ましい。
この場合、前記表示パネルは長方形の液晶パネルを含み、前記液晶パネルの背面に備えられて、前記液晶パネルに光を提供する複数のランプをさらに含み、前記ランプは、前記画素行に対して実質的に直交する方向に延長し配置されることが好ましい。
【０００８】
さらに、前記指令値は、前記第２の指令値より大きい第３の指令値をさらに含み、前記画像信号比較部は、前記カウント数が前記第３の指令値に到達する場合、前記カウント数をリセットさせることが好ましい。
前記画像信号比較部は、前記第２の指令値に従って前記表示パネルに前記非画像信号が表示された後、前記カウント数をリセットさせることが好ましい。
前記画素に印加されるデータ信号の極性はフレームごとに相異なるように変更し、
前記パネル駆動部は、前記カウント数が前記指令値に到達する場合、前記非画像信号を連続する二つのフレームの間、前記表示パネルに表示することが好ましい。
連続するフレームの画像信号を貯えるメモリをさらに有することが好ましい。
前記メモリは、三つの連続するフレームの画像信号を貯えることが好ましい。
前記非画像信号は、ブラック信号又はグレー信号であることが好ましい。
また、前記表示パネルは液晶層を含み、前記表示パネルはノーマリーブラックモードであることを特徴とし、前記パネル駆動部は、前記カウント数が前記指令値に到達する場合、少なくとも一つのフレームの間、前記表示パネルの少なくとも一部に画像信号を表示しないことが好ましい。
【０００９】
上記目的を達成するためになされた本発明によるディスプレイ装置の制御方法は、行列形態の複数の画素を含む表示パネルを有するディスプレイ装置の制御方法において、連続する少なくとも二つのフレームに対応する画像信号が同一であるか否かを比較するステップと、その比較結果において、同じ画像信号である比率が予め設定された臨界範囲を超える場合、カウント数を増加させるステップと、前記カウント数が予め設定された指令値に到達する場合、少なくとも一つのフレームの間、前記表示パネルの少なくとも一部に非画像信号を表示するステップとを有することを特徴とする。
【発明の効果】
【００１０】
本発明に係るディスプレイ装置及びその制御方法によれば、既存に使用してきたメモリを用い、画像信号が同一であるか否かを判断し、ブラックまたはグレー電圧を形成して特定のフレームごとに印加することによって、静止画像から発生する残像を減少させるという効果がある。
【発明を実施するための最良の形態】
【００１１】
次に、本発明に係るディスプレイ装置及びその制御方法を実施するための最良の形態の具体例を図面を参照しながら説明する。
【００１２】
以下の実施形態において、同じ構成要素に対しては同じ参照符号をつけ、同じ構成要素に対しては、第１の実施形態で代表的に説明し、他の実施形態ではその説明を省略する。
【００１３】
図１は、本発明の第１の実施形態によるディスプレイ装置を示した概略構成図である。
図１に示すように、本実施形態によるディスプレイ装置は、複数の画素１３０を含んでおり、長方形状の表示パネル１００と、表示パネル１００を駆動するパネル駆動部２００と、パネル駆動部２００を制御する制御部３００とを含む。
【００１４】
表示パネル１００には、ゲート線１１０と、データ線１２０と、ゲート線１１０及びデータ線１２０により定義される画素１３０とが形成されており、その画素１３０は行列形態で配列されている。画素１３０は、ゲート線１１０及びデータ線１２０に接続されている薄膜トランジスタ（図示せず）と、薄膜トランジスタに接続されている画素電極（図示せず）とで構成されており、パネル駆動部２００から出力されるゲート信号及びデータ信号によって表示パネル１００に画像を表示する。
【００１５】
また、表示パネル１００は、パネル駆動部２００の制御に従って、図に示すように、特定のフレームの間、奇数画素列１３０ａまたは偶数画素列１３０ｂを単位として非画像信号を表示する。静止画像信号による残像を改善するための非画像信号の表示については、詳しく後述する。
【００１６】
本実施形態による表示パネル１００は、薄膜トランジスタが形成されている第１の基板と、第１の基板に対向対応する第２の基板と、第１の基板と第２の基板との間に注入されている液晶層とを含む液晶パネルを含む。画素電極に対応する部分に備えられるカラーフィルタは、第１の基板または第２の基板に形成することができる。表示パネル１００が液晶パネルである場合、ディスプレイ装置は、液晶層に光を提供するバックライトユニット（図６参照）をさらに含む。
【００１７】
パネル駆動部２００は、ゲート駆動部２１０、駆動電圧生成部２２０、データ駆動部２３０及び階調電圧生成部２４０を含み、制御部３００から出力される画像信号及び各種の制御信号に従って表示パネル１００を駆動する。
駆動電圧生成部２２０は、薄膜トランジスタをターンオンさせるゲートオン電圧（Ｖｏｎ）、ターンオフさせるゲートオフ電圧（Ｖｏｆｆ）及び共通電極（図示せず）に印加される共通電圧（Ｖｃｏｍ）などを生成する。
階調電圧生成部２４０は、ディスプレイ装置の輝度に関連した複数の階調電圧（ｇｒａｙ  ｓｃａｌｅ  ｖｏｌｔａｇｅ）を生成する。
【００１８】
ゲート駆動部２１０はスキャン駆動部とも称し、ゲート線１１０に接続されて駆電圧生成部２２０からのゲートオン電圧（Ｖｏｎ）とゲートオフ電圧（Ｖｏｆｆ）との組み合わせからなるゲート信号をゲート線１１０に印加する。
データ駆動部２３０はソース駆動部とも称し、階調電圧生成部２４０から階調電圧が印加され、制御部３００の制御に従って階調電圧を選択してデータ線１２０にデータ信号を印加する。
【００１９】
制御部３００は、メモリ３１０、画像信号比較部３２０を含み、外部から画像信号及び制御信号が入力されてパネル駆動部２００に提供する。制御部３００は、外部のグラフィック制御器からＲＧＢ階調信号（Ｒ、Ｇ、Ｂ）及びその表示を制御する制御入力信号、たとえば、垂直同期信号（ｖｅｒｔｉｃａｌ  ｓｙｎｃｈｒｏｎｉｚｉｎｇ  ｓｉｇｎａｌ：Ｖｓｙｎｃ）、水平同期信号（ｈｏｒｉｚｏｎｔａｌ  ｓｙｎｃｈｒｏｎｉｚｉｎｇ  ｓｉｇｎａｌ：Ｈｓｙｎｃ）、メインクロック（ｍａｉｎ  ｃｌｏｃｋ：ＣＬＫ）、データイネーブル信号（ｄａｔａ  ｅｎａｂｌｅ  ｓｉｇｎａｌ：ＤＥ）などが提供される。
【００２０】
制御部３００は、制御入力信号に基づいてゲート制御信号、データ制御信号及び電圧選択制御信号（ｖｏｌｔａｇｅ  ｓｅｌｅｃｔｉｏｎ  ｃｏｎｔｒｏｌ  ｓｉｇｎａｌ：ＶＳＣ）を生成し、外部からの階調信号（Ｒ、Ｇ、Ｂ）を液晶表示パネル１００の動作条件に合わせて適宜に変換した後、ゲート制御信号をゲート駆動部２１０に出力し、データ制御信号と処理した階調信号（Ｒ’、Ｇ’、Ｂ’）とはデータ駆動部２３０に出力し、電圧選択制御信号（ＶＳＣ）を階調電圧生成部２４０に出力する。
【００２１】
ゲート制御信号は、ゲートオンパルス（ゲート信号のハイ区間）の出力開始を指示する垂直同期開始信号（ｖｅｒｔｉｃａｌ  ｓｙｎｃｈｒｏｎｉｚａｔｉｏｎ  ｓｔａｒｔ  ｓｉｇｎａｌ：ＳＴＶ）、ゲートオンパルスの出力時期を制御するゲートクロック信号及びゲートオンパルスの幅を限定するゲートオンイネーブル信号（ｇａｔｅ  ｏｎ  ｅｎａｂｌｅ  ｓｉｇｎａｌ：ＯＥ）などを含む。データ制御信号は、階調信号の入力開始を指示する水平同期開始信号（ｈｏｒｉｚｏｎｔａｌ  ｓｙｎｃｈｒｏｎｉｚａｔｉｏｎ  ｓｔａｒｔ  ｓｉｇｎａｌ：ＳＴＨ）、データ線１２０に該当データ電圧（Ｖｄ）を印加することを示すロード信号（ｌｏａｄ  ｓｉｇｎａｌ：ＬＯＡＤまたはＴＰ）、データ電圧の極性を反転させる反転制御信号（ＲＶＳ）及びデータクロック信号（ＨＣＬＫ）などを含む。
【００２２】
メモリ３１０はＥＥＰＲＯＭなどとして備えられ、表示パネル１００を駆動するための相違する種類のデータを貯えている。また、メモリ３１０は、外部から入力される画像信号をフレームの単位で貯えて、特に、連続する複数のフレームの画像信号を貯える。貯えられた連続するフレームの画像信号は、表示パネル１００に印加されるデータ信号を補正する基本的なデータとして用いられる一方、非画像信号を印加するか否かに対する比較対象となる。メモリ３１０は、連続する二つのフレームに対応する画像信号を貯えることができ、連続する三つのフレームに対応する画像信号を貯えることもできる。
【００２３】
液晶パネルが含む液晶は、画素１３０に印加されるデータ信号に応答して配列が変化するが、液晶の応答速度が遅い場合、適宜な画像が表示されないという問題点が発生する。
かかる液晶の応答速度を改善するために、元々表現されるべき階調より高いか、低い階調に対応するデータ信号を画素１３０に印加するオーバー駆動（ｏｖｅｒ  ｄｒｉｖｉｎｇ）方式またはアンダー駆動（ｕｎｄｅｒ  ｄｒｉｖｉｎｇ）方式が表示パネル１００の駆動に適用できる。このような駆動の場合、連続する二つのフレーム画像信号を比較してデータ信号を調節するか、連続する三つのフレーム画像信号を比較してフリーチルト駆動を行う。
【００２４】
画像信号比較部３２０は、メモリ３１０に貯えられた連続する複数のフレームに対応する画像信号が同じであるか否かを比較して、同じ画像信号である比率が予め設定された臨界範囲を超える場合、カウント数を増加させる。図２は、本実施形態によるディスプレイ装置の制御方法を説明するためのフローチャートであり、図３は、画像信号比較部３２０のカウント数による非画像信号の表示を説明するための表である。図２及び図３を参照して、非画像信号が表示される制御方法について説明する。
【００２５】
まず、連続する複数のフレームの画像信号を保存する（ステップＳ１０）。
本実施形態によれば、メモリ３１０には、連続する三つのフレーム画像信号が順次に保存される。新たなフレームの画像信号は、既に保存されている最先順位のフレームの画像信号が保存されている領域にダウンロードされる。上述したように、オーバーまたはアンダー駆動を適用して画像を表示するディスプレイ装置の場合、追加的なメモリなしに、既存で使用されているメモリ３１０を用いることができる。
【００２６】
その後、画像信号比較部３２０は、三つのフレームの画像信号を比較して、同じ画像信号の比率が臨界範囲を超えるか否かを判断する（ステップＳ２０）。
屋外広告に用いられるディスプレイ装置または証券会社、病院、空港またはバスターミナルなどの公共場所などに用いられるディスプレイ装置は、長い時間にかけて同じ画像信号を表示する場合が多い。この際、長い時間の静止画像によって表示パネルに残像が発生し、画像信号が変わっても、液晶が適宜に反応しないという問題点が発生する。本実施形態によるディスプレイ装置は、このような残像問題を改善するために、画像信号の中間に非画像信号を挿入し、画像信号比較部３２０は同じ静止画像である比率を判断して非画像信号を挿入するか否かを決定する。
【００２７】
臨界範囲は５０％、３０％または７０％などのように、ユーザーが様々な範囲に設定することができる。すなわち、全体画面が静止画像として続く場合のみならず、表示パネル１００の特定部分には静止画像が連続的に表示され、残りの部分には画像信号の変更が存在する場合にも、非画像信号が表示パネル１００に印加される。
【００２８】
ステップＳ２０の判断結果において、同じ画像信号である比率が臨界範囲を超える場合、画像信号比較部３２０は、カウント数を増加させる（ステップＳ３０）。
たとえば、臨界範囲が５０％に設定されている場合、第１フレーム乃至第３フレームの画像信号を比較して同じ画像信号である比率が５０％を超える場合、図３に示すようにカウント数は１つ増える。この際、表示パネル１００には、第１フレームに対応する画像信号が表示される。
【００２９】
その後、画像信号比較部３２０は、カウント数が第１の指令値と同一であるか否かを判断して（ステップＳ４０）、カウント数が第１の指令値と同一でない場合、順次に現在のカウント数が第２の指令値及び第３の指令値と同一であるか否かを判断する（ステップＳ６０、ステップＳ８０）。
【００３０】
第２の指令値は第１の指令値より大きい値であり、第３の指令値は第２の指令値より大きい値に設定される。カウント数が第１の指令値、第２の指令値及び第３の指令値に到達しない場合には、正しく画像を表示し（ステップＳ９０）、新たに画像信号の同一性を判断する。図３に示すように、本実施形態による第１の指令値は３０と設定されており、カウント数が３０となるまで、画像信号比較部３２０は連続するフレームの画像信号を比較してカウント数を増加させる。
【００３１】
このような方式でカウント数が増加して第１の指令値に到達する場合、パネル駆動部２００は、表示パネル１００の奇数画素列１３０ａには非画像信号を、偶数画素列１３０ｂには画像信号を表示する（ステップＳ５０）。
本実施形態による画素列（１３０ａ、１３０ｂ）は、表示パネル１００の短辺方向（図１で縦方向）に伸びている画素１３０の集合という。図３に示すように、第３０フレームが表示されるあいだ、元の第３０フレームの画像信号のうち、偶数画素列１３０ｂに対応する部分には正しく画像信号が表示され、奇数画素列１３０ａには非画像信号が表示される。非画像信号はブラックまたはグレー信号、すなわち、階調の低いデータ信号を意味し、データ駆動部２３０は、階調の低いデータ信号を生成し、これを奇数画素列１３０ａに印加する。
【００３２】
非画像信号として印加されるブラックまたはグレー信号によって、インパルス（ｉｍｐｕｌｓｉｖｅ）駆動が行われるため、長い静止画像により発生する残像を減少させることができる。
【００３３】
また、パネル駆動部２００は、非画像信号を連続する二つのフレームの間、表示パネル１００に印加する。上述したように、制御部３００を通じてデータ駆動部２３０に出力される制御信号は反転制御信号（ＲＶＳ）を含み、反転制御信号（ＲＶＳ）により画素１３０に印加されるデータ信号はフレーム別に極性が変わる。したがって、いずれか一つの極性のときのみ、非画像信号が表示されることを防止するために、連続する二つのフレームのあいだ、非画像信号を表示する。正の極性と負の極性のとき、一回ずつ非画像信号が印加されるため、残像改善効果が増える。したがって、第３０フレーム及び第３１フレームの間、奇数画素列１３０ａにはブラックまたはグレーが表示される。
【００３４】
カウント数が増加し続けて第２の指令値に到達すれば、パネル駆動部２００は、表示パネル１００の偶数画素列１３０ｂに非画像信号を表示する（ステップＳ７０）。カウント数が第１の指令値になると奇数画素列１３０ａに、カウント値が第２の指令値になると偶数画素列１３０ｂに、交互に非画像信号を表示する。
【００３５】
次いで、カウント数が第２の指令値を超えて第３の指令値に到達すると、画像信号比較部３２０はカウント数をリセットさせて再び初期化させるとともに、パネル駆動部２００は正しい画像信号を表示する（ステップＳ１００）。
本実施形態によれば、第３の指令値は７５と設定されており、第７６フレーム乃至第７８フレームを比較して同じ画像信号である比率が５０％を超える場合、カウント数は再び１となる。同じ画像信号が連続的に繰り返される場合、特定のフレームごとに非画像信号が印加されるアルゴリズムが繰り返される。上述したように、カウント数が第３の指令値と異なる場合、パネル駆動部２００は正しく画像信号を表示する（ステップＳ９０）。
【００３６】
一方、三つのフレームの画像信号を比較した結果、同じ画像信号である比率が臨界範囲を超えない場合、表示パネル１００には正しい画像信号が印加され、カウント数はリセットされる（ステップＳ１２０）。すなわち、前のフレームと画像信号の異なるフレームが表示された後、画像信号比較部３２０は新たにカウント数を増加させる。
又、カウント数が第１の指令値に到達したとき、非画像信号が偶数画素列１３０ｂに先に印加し、第２の指令値に到達したとき、奇数画素列１３０ａに印加することも可能である。
【００３７】
図４は、本実施形態によるディスプレイ装置の他の制御方法を説明するためのフローチャートである。図４の制御方法の場合、図２に示したステップＳ１０〜Ｓ５０及びＳ１２０は同一であり、カウント数に対する指令値は、第１の指令値及び第２の指令値だけで構成される。
すなわち、カウント数が第２の指令値に到達する場合、パネル駆動部２００は偶数画素列１３０ｂに非画像信号を表示し、画像信号比較部３２０は直ちにカウント数をリセットさせる（ステップＳ７１）。
【００３８】
このような制御方法によれば、３０個のフレームごとに非画像信号が表示パネル１００に表示される。カウント数が第１の指令値及び第２の指令値と同一でない場合には、表示パネル１００に正しく画像信号が表示され（ステップＳ９０）、画像信号比較部３２０は同じ画像信号である比率が臨界範囲を外れるか否かを新たに判断する。
指令値の個数及び特定値は、ディスプレイ装置が含んでいる液晶の反応速度、表示パネル１００の大きさ及びパネル駆動部２００の性能に応じて様々に設定されることができる。
【００３９】
図５（ａ）及び（ｂ）は、本発明の第１の実施形態によるディスプレイ装置の液晶層を示した図である。液晶層１５０は、図示しない第１の基板と第２の基板との間に注入されており、液晶層１５０と向かい合わない第１の基板及び第２の基板の他面には、偏光板１６１、１６２が備えられている。
【００４０】
偏光板１６１、１６２の偏光軸Ｉ、ＩＩは互いに直交するように交差する。本実施形態による液晶層１５０は、図５（ａ）に示すように、外部から電圧が印加されなければ、液晶分子は垂直に並ぶように配列され、図５（ｂ）に示すように、電圧が印加される場合には、水平方向に配列される。外部から電圧が印加されなければ、光は液晶分子によって偏光されないため、いずれか一方向から入射された光は、互いに直交する偏光板１６１、１６２を通過することができない。すなわち、本実施形態による液晶層１５０は、電圧が印加されない状態においては、ブラックが表示されるノーマリーブラックモード（ｎｏｒｍａｌｌｙ  ｂｌａｃｋ  ｍｏｄｅ）である。
【００４１】
特定のフレームごとに非画像信号を表示する場合、パネル駆動部２００はブラックまたはグレー信号を生成して表示パネル１００に印加することができるが、上述した液晶層１５０の性質を用いて非画像信号を印加すべき画素列１３０ａ、１３０ｂにデータ信号を印加しないこともできる。この場合、データ信号生成及び表示に用いられた消費電力が減少する。
【００４２】
図６は、本発明の第１の実施形態によるディスプレイ装置のバックライトユニットである。本実施形態による表示パネル１００は、上述したように、液晶層を含んでいる液晶パネルなので、ディスプレイ装置は液晶層に光を提供するためのバックライトユニットをさらに含む。バックライトユニットは表示パネル１００の背面に備えられ、収納部材４１０と、収納部材４１０に収納されている複数のランプ４２０とを含む。通常、バックライトユニットは、ランプ４２０を保持固定する支持部材、ランプ４２０からの光を調節する光調節部材などをさらに含むが、便宜上、支持部材及び光調節部材などについての図示及び説明は省略する。
【００４３】
本実施形態によるランプ４２０は、表示パネル１００の長辺方向に伸びている。すなわち、ランプ４２０は、表示パネル１００の短辺方向に伸びている画素列１３０ａ、１３０ｂに対して実質的に直交する方向に延長され配置される。仮に、ランプ４２０が、画素列１３０ａ、１３０ｂと平行に並んで延長され配置されていると、ランプ４２０から提供される光の波長と非画像信号とが重なり、ちらつき（ｆｌｉｃｋｅｒ）が発生する可能性がある。このようなちらつきを防止するために、ランプ４２０は、画素列１３０ａ、１３０ｂと直交する方向に延長され配置されることが好ましい。
【００４４】
図７は、本発明の第２の実施形態によるディスプレイ装置のバックライトユニットである。
同図に示すように、本実施形態によるディスプレイ装置の場合、非画像信号は画素列でない画素行１３０ｃ、１３０ｄごとに表示され、ランプ４２１は表示パネル１００の短辺方向に、すなわち、画素行１３０ｃ、１３０ｄに対して実質的に直交する方向に延長され配置される。これは、図６を参照した説明のように、ランプ４２１により発生するちらつきを防止するためのことである。
【００４５】
尚、本発明は、上述の実施形態に限られるものではない。本発明の技術的範囲から逸脱しない範囲内で多様に変更実施することが可能である。
【図面の簡単な説明】
【００４６】
【図１】本発明の第１の実施形態によるディスプレイ装置を示した概略構成図である。
【図２】本発明の第１の実施形態によるディスプレイ装置の制御方法を説明するためのフローチャートである。
【図３】本発明の第１の実施形態による画像信号比較部のカウント数による非画像信号の表示を説明するための表である。
【図４】本発明の第１の実施形態によるディスプレイ装置の他の制御方法を説明するためのフローチャートである。
【図５】本発明の第１の実施形態によるディスプレイ装置の液晶層を示す概略斜視図であり、（ａ）は電圧が印加されていない場合、（ｂ）は電圧が印加された場合の図である。
【図６】本発明の第１の実施形態によるディスプレイ装置のバックライトユニットである。
【図７】本発明の第２の実施形態によるディスプレイ装置のバックライトユニットである。
【符号の説明】
【００４７】
１００      表示パネル
１１０      ゲート線
１２０      データ線
１３０      画素
１３０ａ，１３０ｂ    画素列
１３０ｃ，１３０ｄ    画素行
２００      パネル駆動部
２１０      ゲート駆動部
２２０      駆動電圧生成部
２３０      データ駆動部
２４０      階調電圧生成部
３００      制御部
３１０      メモリ
３２０      画像信号比較部
４１０      収納部材
４２０、４２１    ランプ
【図１】
2008216953.tif 000003
【図２】
2008216953.tif 000004
【図３】
2008216953.tif 000005
【図４】
2008216953.tif 000006
【図５】
2008216953.tif 000007
【図６】
2008216953.tif 000008
【図７】
2008216953.tif 000009